(57)【特許請求の範囲】
【請求項１】
流体の温度を検出する熱検出部と、該熱検出部の検出信号に基づいて火災の有無を判定して警報発報の制御を行う制御部とを備える火災警報器において、
前記制御部を内蔵する桶状体と、
前記桶状体の内部と仕切られ該火災警報器の外部と通じるトンネル部を有する前記桶状体の開口面を覆うカバーとを備え、
前記熱検出部は、前記トンネル部の内部空間に前記桶状体の内部から突出させたことを特徴とする火災警報器。
【請求項２】
請求項１に記載の火災警報器において、
前記カバーの外面には、前記熱検出部と対向する位置に表面孔が形成されていることを特徴とする火災警報器。
【請求項３】
請求項２に記載の火災警報器において、
前記トンネル部は、前記表面孔と直交する方向に設けられていることを特徴とする火災警報器。
【請求項４】
請求項１ないし３のいずれか１項に記載の火災警報器において、
前記トンネル部の内部空間には、外部から流入する熱気流を前記熱検出部へ誘導するフィン部が配置されていることを特徴とする火災警報器。
【請求項５】
請求項４に記載の火災警報器において、
前記フィン部が複数配置されていることを特徴とする火災警報器。
【請求項６】
請求項１ないし５のいずれか１項に記載の火災警報器に置いて、
前記トンネル部には、前記熱検出部の近傍の空間を狭めるように誘導部が形成されていることを特徴とする火災警報器。
【請求項７】
請求項１ないし６のいずれか１項に記載の火災警報器において、
前記制御部が制御基板および制御回路部品を有しており、
該制御基板の一方の面に、前記トンネル部および前記制御回路部品が位置していることを特徴とする火災警報器。
【発明の詳細な説明】
【技術分野】
【０００１】
本発明は、流体の温度を測定することで火災を検知し警報を発する熱検知式の火災警報器に関する。
【背景技術】
【０００２】
火災を検知する火災警報器として、熱感知素子を備え室内の温度が高温になったときに火災の発生と判定し、警報を発するものが一般に知られている。
火災警報器は、火災で加熱された熱流の温度を熱検知素子で測定し、その測定温度により火災の有無を判定する。そのため、従来の火災警報器では、本体を形成する筐体から熱検知素子を突出させ、熱検知素子が加熱された流体に接触が可能となるようにして、温度を検出していた（特許文献１）。
【０００３】
しかし、このような従来の火災警報器では、筐体の表面または若干凹ませた面上から熱検知素子を突出させる必要があるため、熱検知素子の突出分と、その突出分の保護部を設ける分の寸法が増え、製品外形が大きくなってしまうという問題があった。
【０００４】
そこで、熱検知素子を筐体内部に収納した火災警報器が開示されている（特許文献２）。特許文献２では、筐体に開口部を形成し、その開口部に流体を通過させて、内部に収納した熱検知素子に接触させている。
【先行技術文献】
【特許文献】
【０００５】
【特許文献１】特開平０９−０４４７６９号公報
【特許文献２】特開２００９−２３０５１０号公報
【発明の概要】
【発明が解決しようとする課題】
【０００６】
このような従来の火災警報器には、以下のような課題があった。
筐体内部に熱検知素子を収納し、その外面上に流体流入用の開口部を設けた場合には、その開口部を通じて、流体以外にも、虫や水滴の飛散、粉塵などが筐体内部へ侵入してしまうおそれがある。
【０００７】
筐体内部には、熱検知素子に加えて制御基板や制御回路部品など様々な機器が限られた空間内に存在しているため、流体以外のものが侵入し、制御基板などの内部機器と接触すると、内部機器の故障の原因となってしまう。
【０００８】
また、筐体内部は非常に限られた空間であるため、配置によっては、熱検知素子が流体を検知しにくい配置となることもあり得る。
そこで、本発明は、上記の課題を解決するために、火災警報器において、熱検知のために製品外形の厚みを増加させないことに加えて、内部機器への影響を防止することを目的とする。
【課題を解決するための手段】
【０００９】
上記の目的を達成するために、本発明では、流体の温度を検出する熱検出部と、該熱検出部の検出信号に基づいて火災の有無を判定して警報発報の制御を行う制御部とを備える火災警報器において、前記制御部を内蔵する桶状体と、前記桶状体の内部と仕切られ該火災警報器の外部と通じるトンネル部を有する前記桶状体の開口面を覆うカバーとを備え、  前記熱検出部は、前記トンネル部の内部空間に前記桶状体の内部から突出させたことを特徴とする火災警報器とする。
【００１０】
また、本発明によれば、上記の構成において、前記カバーの外面には、前記熱検出部と対向する位置に表面孔が形成されていることを特徴とする火災警報器とする。
また、本発明によれば、上記の構成において、前記トンネル部は、前記表面孔と直交する方向に設けられていることを特徴とする火災警報器とする。
また、本発明によれば、上記の構成において、前記トンネル部の内部空間には、外部から流入する熱気流を前記熱検出部へ誘導するフィン部が配置されていることを特徴とする火災警報器とする。
【００１１】
また、本発明によれば、上記の構成において、前記フィン部が複数配置されていることを特徴とする火災警報器とする。
また、本発明によれば、上記の構成において、前記トンネル部には、前記熱検出部の近傍の空間を狭めるように誘導部が形成されていることを特徴とする火災警報器とする。
【００１２】
また、本発明によれば、上記の構成において、前記制御部が制御基板および制御回路部品を有しており、該制御基板の一方の面に、前記トンネル部および前記制御回路部品が位置していることを特徴とする火災警報器とする。
【発明の効果】
【００１３】
本発明によれば、火災警報器において、熱検知のために製品外形の厚みを増加させないことに加えて、内部機器への影響を防止することができる。
【図面の簡単な説明】
【００１４】
【図１】本発明の実施例の火災警報器の正面側斜視図である。
【図２】本発明の実施例の火災警報器の底面側斜視図である。
【図３】本発明の実施例の火災警報器の正面図である。
【図４】本発明の実施例の火災警報器の右側面図である。
【図５】本発明の実施例の火災警報器の図３のＡ−Ａ線断面図である。
【図６】本発明の実施例の火災警報器の図３のＢ−Ｂ線断面図である。
【図７】本発明の実施例の火災警報器の図４のＣ−Ｃ線断面図である。
【発明を実施するための形態】
【００１５】
以下に、図面を参照しながら、本発明の実施の一形態について説明する。ただし、以下の記載は、あくまでも本発明の例示であり、これに限定されるものではない。つまり、当分野で通常の知識を有する者によって、本発明の技術的思想内で多くの変形実施を行うことが可能である。
【実施例】
【００１６】
〔本発明の実施例の火災警報器の外観構造：図１〜図４〕
最初に、図１〜図４により、本発明の実施例の火災警報器の外観構造を説明する。
〔本発明の実施例の火災警報器の正面側斜視図：図１〕
図１は、本発明の実施例の火災警報器の正面側斜視図である。１はカバー、２は筐体、３はトンネル部、４は表面孔、９は吊下保持部、１０はＬＥＤ表示部等、１１はトンネル底板、１２はトンネル側面板である。
【００１７】
図１のとおり、本実施例の火災警報器は、主に筐体２およびカバー１から構成されている。
矩形状の筐体２は、その正面側の面形状が山状に膨らむように湾曲している。そして、その湾曲形状に合致するようにカバー１が設置されている。なお、筐体２およびカバー１は、ともに樹脂製材料で構成されている。また、筐体２の平面側の上部には、吊下保持部９が設けられている。
【００１８】
カバー１には、長手方向に貫通するトンネル部３が設けられている。トンネル部３は、カバー１の短手方向の片側（右側面寄り）に片寄せて配置されている。カバー１の表面には、トンネル部３と内部で連通するように表面孔４が設けられている。
【００１９】
なお、トンネル部３は、トンネル底板１１およびトンネル側面板１２によりカバー１内部が仕切られて形成されている。トンネル部３の長手方向の入口および出口付近では、トンネル底板１１が外部に露出している。トンネル部３は、熱気流の流路として機能するが、この点は後述する。
【００２０】
また、カバー１には、その短手方向の片側（左側面寄り）に、ＬＥＤ表示部等１０が片寄せて配置されている。
〔本発明の実施例の火災警報器の底面側斜視図：図２〕
図２は、本発明の実施例の火災警報器の底面側斜視図である。５は熱検知素子、１３はフィン部、１４は誘導部である。
【００２１】
図２では、カバー１に形成されたトンネル部３の内部には、熱検知素子５が実装されている。熱検知素子５は、感知した熱を電気信号に変換するためのものである。熱検知素子５は、表面孔４と対向する位置に配置されるとともにトンネル部３によって外部と通じている。
【００２２】
また、上述のとおり、カバー１に設けられたトンネル部３の内部は、トンネル底板１１およびトンネル側面板１２によって仕切られて形成されている。トンネル側面板１２には、熱検知素子５の近傍を狭めるように誘導部１４が形成されている。さらに、トンネル部３の内部には、複数のフィン部１３が設けられている。
【００２３】
〔本発明の実施例の火災警報器の正面図：図３〕
図３は、本発明の実施例の火災警報器の正面図である。
図３からは、表面孔４が連通するトンネル部３の内部に、内部孔６が形成されていることが分かる。内部孔６は、トンネル底板１１上に形成されている。この内部孔６からは熱検知素子５が突出しており、表面孔４を通じて外部から見えるように配置されている。
【００２４】
〔本発明の実施例の火災警報器の右側面図：図４〕
図４は、本発明の実施例の火災警報器の右側面図である。
筐体２はカバー１により覆われている。また、カバー１には、上述したとおり、表面孔４が形成されている。
【００２５】
以上が、本発明の実施例の火災警報器の外観構造の説明である。
〔本発明の実施例の火災警報器の内部構造：図５〜図７〕
次に、図５〜図７により、本発明の実施例の火災警報器の内部構造を説明する。
【００２６】
〔本発明の実施例の火災警報器の図３のＡ−Ａ線断面図：図５〕
図５は、本発明の実施例の火災警報器の図３のＡ−Ａ線断面図である。７は制御基板である。
【００２７】
図５によれば、トンネル部３の内部空間に、熱検知素子５および内部孔６が設けられていることが分かる。具体的には、熱検知素子５は制御基板７上に実装されており、内部孔６はトンネル底板１１上に形成されている。
【００２８】
筐体２の内部には、板状の制御基板７がトンネル底板１１と平行に形成されており、その制御基板７によって熱検知素子５が支持されている。制御基板７では、熱検知素子５の信号に基づいて、火災の有無を判定し、警報発報の制御を行う。
【００２９】
熱検知素子５の形状は、円柱状の胴体部分の途中から先端部分にかけて円錐状に細くなっている。熱検知素子５の円錐状の頂点部分は、表面孔４と対向している。熱検知素子５の胴体部分は、トンネル底板１１の内部孔６を貫いてカバー１のトンネル部３の内部空間に突出している。
【００３０】
ここで、内部孔６と熱検知素子５との間には隙間が形成されているが、隙間なく密閉されていてもよい。
また、トンネル側面板１２の熱検知素子５近傍の一部は、誘導部１４としてトンネル部３内部の流路を狭めるように形成されている。
【００３１】
さらに、トンネル部３の内部には、フィン部１３が複数設けられている。
〔本発明の実施例の火災警報器の図３のＢ−Ｂ線断面図：図６〕
図６は、本発明の実施例の火災警報器の図３のＢ−Ｂ線断面図である。８は制御回路部品である。
【００３２】
図６によれば、制御基板７の一方の面の側に、トンネル部３および制御回路部品８が配置されていることが分かる。
ここで、カバー１および筐体２の内部で外部に通じているのは、トンネル底板１１およびトンネル側面板１２によって仕切られたトンネル部３の内部空間だけである。すなわち、カバー１のトンネル部３の内部空間は、制御回路部品８とは空間として物理的に区切られている。
【００３３】
なお、カバー１の厚さは、制御回路部品８の高さを基準として最小となるように寸法設定されている。
トンネル部３内部には、複数のフィン部１３が設置されている。また、トンネル側面板１２の一部は、誘導部１４として熱検知素子５の近傍を狭めている。
【００３４】
〔本発明の実施例の火災警報器の図４のＣ−Ｃ線断面図：図７〕
図７は、本発明の実施例の火災警報器の図４のＣ−Ｃ線断面図である。８は制御回路部品である。１５はＬＥＤ表示灯である。
【００３５】
図７によれば、トンネル部３の内部空間は、トンネル底板１１およびトンネル側面板１２から構成されている。そして、羽形状のフィン部１３が、熱検知素子５を挟むように、流路の入口付近に２つ、出口付近に２つの合計４つ設置されている。
【００３６】
フィン部１３は、流路へ流入した熱気流が熱検知素子５に集中的に曝されるように、トンネル部３の入口または出口のそれぞれに対して、ハの字となるように配置されている。
また、トンネル側面板１２は、熱検知素子５の近傍付近の流路を狭めるように誘導部１４が形成されている。
【００３７】
そのほか、ＬＥＤ（表示灯）１５の背後（奥側）には、制御回路部品８が配置されている。これらのＬＥＤ（表示灯）１５および制御回路部品８は、トンネル底板１１およびトンネル側面板１２により、トンネル部３の内部空間とは物理的に区切られている。
【００３８】
以上が、本発明の実施例の火災警報器の内部構造の説明である。
〔本発明の実施例の火災警報器の動作〕
続いて、本発明の実施例の火災警報器の動作を説明する。
【００３９】
本発明の実施例の火災警報器は、図１に示す姿勢で筐体２の背面が施設の壁面と平行に接するように取り付けて使用される。具体的には、吊下保持部９にピン止め等を行うことによって壁面に設置される。つまり、火災警報器の長手方向が、施設の床面および天井面と垂直となる。
【００４０】
この取付姿勢では、施設内に火災が発生すると、火災で加熱された熱気流が上方または下方からトンネル部３に流入する。トンネル部３の内部空間には、外部と通じるかたちで熱検知素子５が実装されているため、熱検知素子５が加熱された流体に直接接触することが可能になる。
【００４１】
なお、トンネル部３の内部空間にはフィン部１３が配置されている。それにより、流入した熱気流は、フィン部１３に導かれて集中的に熱検知素子５を通過することになる。
また、トンネル側面板１２の一部には、熱検知素子５の近傍を狭める誘導部１４が形成されている。そのため、トンネル部３の内部空間に流入した熱気流が、さらに集中的に熱検知素子５を通過することになる。
【００４２】
熱検知素子５では、検知した熱気流の温度を測定する。そして、その測定温度によって火災の有無を判定する。これらの制御は、制御基板７によって行われる。火災発生と判定される場合には、警報が発せられることになる。        
【００４３】
このとき、カバー１および筐体２の内部で外部に通じているのは、トンネル底板１１およびトンネル側面板１２によって仕切られたトンネル部３の内部空間だけである。
また、内部孔６と熱検知素子５との間の隙間は、極小となるように寸法設定されている。従って、外部から流入する熱気流が通過するのはトンネル部３の内部空間のみである。
そして、上方または下方からトンネル部３へ流入した熱気流は、対向する下方または上方から外部へと流出し、一部は表面孔４から外部へと流出する。
【００４４】
以上が、本発明の実施例の火災警報器の動作の説明である。
〔本発明の実施例の火災警報器の効果〕
かくして本発明の実施例によれば、火災警報器において、外部に露出したトンネル構造の熱気流の通過ルート（トンネル部３）を設け、そのトンネル内に熱検知素子５を配置したことにより、トンネル部３の内部空間で熱検知素子５を熱気流に直接接触させて、熱気流の温度測定を行うことができる。
【００４５】
つまり、熱気流の発生する上下方向に貫通するトンネル部３を設けていることにより、火災によって発生した熱気流を、気流の流れを阻害することなく直接的に熱検知素子５へ導くことができる。
【００４６】
このとき、熱気流の通過ルート（トンネル部３）は、トンネル底板１１およびトンネル側面板１２によって、その他の内部機器（制御基板７および制御回路部品８、ＬＥＤ（表示灯）１５）からは物理的に隔離されている。また、内部孔６と熱検知素子５との間には、隙間は、極小または密閉されるように寸法設定されている。
【００４７】
そのため、外部から虫や水滴の飛散などが、トンネル部３の内部空間へ侵入したとしても、内部機器（特に制御基板７）がそれらに接触して故障することを防止することができる。
【００４８】
また、トンネル部３の内部空間の熱検知素子５の近傍には、複数のフィン部１３が配置されている。このため、フィン部１３の働きにより、流入した熱気流が熱検知素子５に集中的に曝されることになる。これにより、より効率的な熱検知を行うことができる。
【００４９】
さらに、トンネル側面板１２の一部は、熱検知素子５の近傍に誘導部１４として形成され、熱検知素子５付近の流路を狭めているため、集中的に熱検知素子５に熱気流を曝すことができ、さらに効率的な熱検知を行うことができる。
【００５０】
そのほか、制御基板７の一方の面の側に、熱検知素子５を収納するトンネル部３と、ＬＥＤ（表示灯）１５および制御回路部品８とを配置している。これにより、従来のように熱検知素子を外部へ突出させる必要がなく、製品外形の厚みを小さくすることができる。そのため、製品の薄型化を実現することができる。
【００５１】
また、熱気流の通過ルート（トンネル部３）は、その他の内部機器等に邪魔されることなく、熱気流が熱検知素子５に直接的に接触するように仕切られているため、熱検知素子５の検知精度を向上させることができる。
【００５２】
〔トンネル部と制御回路部品の配置〕
上述では、カバー１において、短手方向の片側（右側面寄り）にトンネル部３などを配置し、反対側の短手方向の片側（左側面寄り）に、制御回路部品８を配置しているが、これに限定されない。これらは逆の配置であってもよい。
【００５３】
〔熱検知素子の数〕
上述では、熱検知素子５の数は１つであったが、これに限定されない。複数の熱検知素子５が、トンネル部３の内部空間に設置されていてもよい。
【符号の説明】
【００５４】
１    カバー
２    筐体
３    トンネル部
４    表面孔
５    熱検知素子
６    内部孔
７    制御基板
８    制御回路部品
９    吊下保持部
１０  ＬＥＤ表示部等
１１  トンネル底板
１２  トンネル側面板
１３  フィン部
１４  誘導部
１５  ＬＥＤ（表示灯）
【図１】
0005953809.tif 000002
【図２】
0005953809.tif 000003
【図３】
0005953809.tif 000004
【図４】
0005953809.tif 000005
【図５】
0005953809.tif 000006
【図６】
0005953809.tif 000007
【図７】
0005953809.tif 000008